(57)【要約】【課題】折り畳み式テーブル等のテーブルの脚部に後付けで容易に取付けることができ、未使用時には容易に取り外してテーブルの脚部を折り畳んだ状態にすることができ、しかも簡単な構成であって、取付け時の作業性にも優れたテーブルの脚カバーを提供する。【解決手段】テーブル２の脚部３の外周に装着する脚カバー１であって、該脚カバーを縦状に２分割した半割り部材４ａ、４ｂを互いにヒンジ（蝶番１１）で開閉自在に結合した部材内部にテーブル２の脚部３を貫通状態に保持する中空部５が形成されると共に、閉じた状態の半割り部材４ａ、４ｂを着脱自在に固定する係止部材１２が取り付けられてなるものである。【選択図】図１
2007325809.tif 000002
【特許請求の範囲】
【請求項１】
テーブルの脚部の外周に装着する脚カバーであって、該脚カバーを縦状に２分割した半割り部材を互いにヒンジで開閉自在に結合した部材内部にテーブルの脚部を貫通状態に保持する中空部が形成されると共に、閉じた状態の半割り部材を着脱自在に固定する係止部材が取り付けられていることを特徴とするテーブルの脚カバー。
【請求項２】
前記脚カバーの中空部はテーブルの脚部を遊嵌した状態で保持する内径を有することを特徴とする請求項１記載のテーブルの脚カバー。
【請求項３】
前記脚カバーの中空部は横断面がテーブルの脚部を挟持する四角形状に形成されていることを特徴とする請求項１又は２記載のテーブルの脚カバー。
【発明の詳細な説明】
【技術分野】
【０００１】
本発明は、テーブルの脚部に装着する脚カバーに係り、特に折り畳み式テーブルの脚部に装着することによって、そのテーブルの外観を向上するようにしたテーブルの脚カバーに関する。
【背景技術】
【０００２】
例えば、ホテルや公共施設等の集会場においては、会場の多目的使用のために、移動や収納が可能な折り畳み式テーブルが使用されている。このような折り畳み式テーブルは、簡単に組み立て作業を行うことができるように軽量化が図られ、このため、脚部の部材としては角パイプ等の金属パイプが使用されている。従って、折り畳み式テーブルを展開して設置すると、金属パイプが四方に露出した状態となり、外観的には高級感のない、冷たい感じを与えるものとなっていた。
【０００３】
特に、このような折り畳み式テーブルを、パーティ等の会食用テーブルとして使用する場合、このテーブルの天板にテーブルクロス等を掛け、なるべく豪華に見せる工夫がなされるが、そのようなテーブルクロス等を豪華にすればするほど、下方に露出したテーブルの脚部が貧相に見えるという不都合があった。
【０００４】
このような不都合を解消するために、テーブルの脚部を豪華なものにすればよいのであるが、折り畳み式テーブルの構造上、脚部の径を大きくするのは困難であり、設備コストも高くなるため、既設のテーブルをそのまま使用して、後付けの形態で、脚部を豪華に見せる工夫をするのが好ましい。
【０００５】
ところで、従来の技術として、特許文献１には、脚部のキャップとして嵌着する家具の脚カバーが開示されている。この脚カバーは、筒形の編み地の一端を綴じ合わせ、他端に形成した嵌め口を椅子やテーブル等の脚部の下端に嵌めることによって、編み地の伸縮性によるクッション性やファッション性を発揮するようにしたものである。
【０００６】
即ち、上記の文献に開示された脚カバーは、編み糸を筒状に編んだものであり、家庭的な使用においては特有のファッション性を発揮することも可能であるが、上記のパーティやレセプション等の会食用テーブルの脚部に装着することによって、そのテーブルを高級な外観に見せるという効果を有するというものではない。
【特許文献１】特開２００３−２４１５９号公報
【発明の開示】
【発明が解決しようとする課題】
【０００７】
特許文献として、上記に掲げるものの他にも種々調査をしたのであるが、既設の折り畳み式テーブルの脚部に後付けで取り付けて、その外装を高級な外観に見せるというような脚カバーを見出すことはできなかった。
【０００８】
本発明は、上記の事情に鑑みてなされたものであり、折り畳み式テーブル等のテーブルの脚部に後付けで容易に取付けることができ、未使用時には容易に取り外して保管することができ、しかも簡単な構成であって、取付け及び取り外しの際の作業性にも優れたテーブルの脚カバーを提供することを目的とする。
【課題を解決するための手段】
【０００９】
上記の目的を達成するために、本発明における請求項１のテーブルの脚カバーは、テーブルの脚部の外周に装着する脚カバーであって、該脚カバーを縦状に２分割した半割り部材を互いにヒンジで開閉自在に結合した部材内部にテーブルの脚部を貫通状態に保持する中空部が形成されると共に、閉じた状態の半割り部材を着脱自在に固定する係止部材が取り付けられていることを特徴とする。
【００１０】
また、本発明の請求項２は、請求項１において、前記脚カバーの中空部はテーブルの脚部を遊嵌した状態で保持する内径を有することを特徴とする。
【００１１】
さらに、本発明の請求項３は、請求項１又は２において、前記脚カバーの中空部は横断面がテーブルの脚部を挟持する四角形状に形成されていることを特徴とする。
【発明の効果】
【００１２】
上記の本発明は、テーブルの脚部の外周に装着する脚カバーであって、該脚カバーを縦状に２分割した半割り部材を互いにヒンジで開閉自在に結合した部材内部にテーブルの脚部を貫通状態に保持する中空部が形成されると共に、閉じた状態の半割り部材を着脱自在に固定する係止部材が取り付けられてなる構成であるため、折り畳み式テーブル等の脚部に後付けで容易に取付けることができ、大量のテーブルに装着する場合にも利便であり、未使用時には容易に取り外して保管することが可能となる。
【００１３】
また、上記の構成により、双方の半割り部材を分離することなく一体的に扱うことが可能となり、脚カバーを移動或いは保管する際にも、片方の半割り部材をなくしてしまう等の不都合が生じない。
【００１４】
また、本発明において、脚カバーの中空部はテーブルの脚部を遊嵌した状態で保持することができる内径を有する構成にすると、テーブルの脚部に装着した脚カバーは床等に当る最下部まで落とし込まれた状態となり、テーブルの脚部の上方にはこの脚部が露出した部分が生じるが、テーブルの天板に掛けたテーブルクロスの垂れ下げ部で脚部の上方を隠すことにより、外観的にはテーブルクロスの下方に脚カバーが見えるだけであって、高級感のある外装を呈することが可能となる。
【００１５】
さらに、本発明において、脚カバーの中空部は横断面がテーブルの脚部を挟持する四角形状に形成された構成にすると、テーブルの脚部が角形パイプである場合、これに脚カバーを装着した状態では、脚カバーの中空部が脚部の角に当って回らないため、脚カバーを周方向に対して略固定した状態に保つことができる。
【発明を実施するための最良の形態】
【００１６】
以下、本発明の実施例について図面を参照しながら説明する。
【実施例１】
【００１７】
本実施例のテーブルの脚カバーは、図１に示すように、テーブル２の脚部３の外周に装着する脚カバー１であって、該脚カバーを縦状に２分割した半割り部材４ａ、４ｂを互いにヒンジ（蝶番１１）で開閉自在に結合した部材内部にテーブル２の脚部３を貫通状態に保持する中空部５が形成されると共に、閉じた状態の半割り部材４ａ、４ｂを着脱自在に固定する係止部材１２が取り付けられてなるものである。
【００１８】
以下、このような脚カバー１について詳細に説明する。本実施例の脚カバー１は、図１に示すような折り畳み式テーブル２の脚部３に装着するように構成したものである。ただし、本発明の脚カバー１は、折り畳み式テーブル２の脚部以外にも適用可能であり、本発明の脚カバー１を取り付けることができる外径の脚部であれば、固定式の脚部を備えたテーブルにも適用可能である。
【００１９】
図１の折り畳み式テーブル２は、金属パイプによる脚部３を折り畳み式に収納する構造としてあり、天板６の下部に折り畳み自在にヒンジ結合された左右のアーム７、７を有し、夫々のアーム７、７の一端を天板６の裏側に回動自在にピン８で結合する一方、両側の脚部３、３を結合するために設けられた横棒９にアーム７、７の他端をピン８で回動自在に結合した構成を有する。
【００２０】
従って、上記のように、折り畳み式テーブル２の脚部３の途中には横棒９が取り付けられているため、本実施例の脚カバー１の高さ（長手方向の全長）は、横棒９が取り付けられた高さよりも低い高さにする必要がある。また、折り畳み式テーブル２の横棒９の取付け高さは、テーブルによって異なるため、本実施例の脚カバー１を種々の折り畳み式テーブルに関して汎用可能とするためには、脚カバー１の全長を短く形成しておく必要がある。なお、本実施例において、脚カバー１の高さ（長手方向の全長）は４４０mmであって、上部の外径は７０mm、下部の外径は６０mmのテーパ形状とされている。
【００２１】
このため、図１又は図２（ａ）に示すように、脚部３に取り付けた脚カバー１の上方に脚部３が露出する部分が多くできるが、図２(ｂ)に示すように、テーブル２の天板６に掛けられるテーブルクロス１０の垂れ下げ部１０ａで脚部３の上方の露出部分は隠されるため、外観上は高級感のある太径の脚部を有するテーブル２にテーブルクロス１０を掛けた状態に見せることができる。
【００２２】
次に、図３〜図７を参照しながら本実施例の脚カバー１の構造について説明する。これらの図に示す本実施例の脚カバー１は、断面円形の木製棒部材を縦状に２分割した半割り部材４ａ、４ｂからなり、双方の半割り部材４ａ、４ｂの夫々の側部に沿って上下位置に蝶番１１、１１を固定したことによるヒンジ結合（図３（ａ）、(ｂ)参照）によって、内部を開閉自在にすることができる構成とされている。その内部は、夫々の半割り部材４ａ、４ｂの内部に縦状に断面凹形の貫通溝５ａ、５ｂが形成され（図３（ａ）、図５(ｂ)又は図６(ｂ)参照）、図５（ａ）又は図６（ａ）に示すように、双方の半割り部材４ａ、４ｂを閉じた状態に合致した時、テーブル２の脚部３を貫通状態に保持することができる四角形状の中空部５として形成されている。
【００２３】
さらに、図３（ａ）又は(ｂ)に示すように、蝶番１１が設けられた反対側部に沿って所要箇所（図３（ａ）又は(ｂ)においては３箇所）に、両側の半割り部材４ａ、４ｂを閉じた状態を開閉自在に固定する係止部材１２が設けられている。この係止部材１２としては、周知の種々の金具を用いることができる。
【００２４】
即ち、上記の係止部材１２として、例えば、３（ａ）、(ｂ)、又は図６(ａ)、(ｂ)に示すものは、夫々の半割り部材４ａ、４ｂの側部において対向する３箇所（両側で合計６箇所）に溝部１３、１３…が形成され、これらの溝部１３に埋め込まれた凸側係止部材１４ａと凹側係止部材１４ｂとがネジ固定されてなるものである。このうち、凹側係止部材１４ｂは離間した保持部１５、１５の双方の内側にボール部材１６、１６が弾性的に支持された状態で内蔵され、凸側係止部材１４ａは両側に湾曲形状の窪み１７、１７を有する構成とされている。
【００２５】
本実施例の脚カバー１を折り畳み式テーブル２等の脚部３に装着するには、図１に示すように、双方の半割り部材４ａ、４ｂを開いた状態にして、テーブル２の脚部３の両側を挟むようにして閉じると、一方の半割り部材４ａに設けられた凸側係止部材１４ａが他方の半割り部材４ｂに設けられた凹側係止部材１４ｂの両側のボール部材１６、１６間に押し入り、両側のボール部材１６、１６が弾性力によって凸側係止部材１４ａの両側の窪み部１７、１７を把持することによって固定状態にすることができる。
【００２６】
なお、本発明による脚カバー１は、上記の係止部材１２とは異なる構造の金具、例えば他の構造の係止金具やマグネット等を使用して、双方の半割り部材４ａ、４ｂを開閉自在に固定状態にする構成としてもよい。また、本発明においては、両側の半割り部材４ａ、４ｂを蝶番１１等を用いてヒンジ結合することが好ましく、こうすることにより、両側の半割り部材４ａ、４ｂを分離することなく一体的に扱うことが可能となり、脚カバー１を移動或いは収納する際に、片方の半割り部材４ａ又は４ｂをなくしてしまう等の不都合が生じない。
【００２７】
上記の脚カバー１をテーブルの脚部に装着した状態において、図７(ａ)〜(ｄ)に示すように、脚カバー１の中空部５の内径はテーブル２の脚部３の外径よりもやや大きく形成してある。テーブル２の脚部３の外径はテーブルの種類によって微妙に異なるものであり、上記のように脚カバー１の中空部５の内径を通常のテーブル２の脚部３の外径よりも余裕を持ってやや大きく形成することにより、種々の外径の脚部に装着することが可能となる。
【００２８】
また、本実施例において、脚カバー１の中空部５はテーブル２の脚部３を遊嵌した状態で保持する内径を有する構成とされている。即ち、上記のように脚カバー１の中空部５の内径がテーブル２の脚部３の外径よりも大径にされると、例えば、図７（ａ）に示すように、テーブル２の脚部３の外周と脚カバー１の中空部５の内径との間に隙間が生じるため、図１に示すように、テーブル２の脚部３の外周に装着された脚カバー１は、脚部３の途中で停止することなく、床面等に当る最下部まで落とし込まれた状態となる。しかしながら、上記でも説明したように、図２（ａ）のように脚カバー１の上方に露出した脚部３の上方部分を、図２(ｂ)に示すようにテーブル２の天板６に掛けられたテーブルクロス１０の垂れ下げ部１０ａで隠すことができ、テーブルクロス１０の下方は太径の脚カバー１のみが露出した状態となるため、テーブルクロス１０の装飾性と相まって高級な外観（図２(ｂ)参照）を呈することが可能となる。
【００２９】
なお、図７(ａ)〜(ｄ)は、本発明による脚カバー１の種々の態様を示すものであり、上記の実施例において、テーブル２の脚部３としては角形パイプ３ａ（図７(ａ)又は(ｃ)参照）を用いてあるが、図７(ｂ)又は(ｄ)に示すように、本実施例の脚カバー１を丸形パイプ３ｂの脚部３に装着することも可能である。
【００３０】
ただし、テーブル２の脚部３が角形パイプ３ａである場合、これに四角形内径の中空部５を有する脚カバー１を装着すると、この脚カバー１を周方向に回しても、脚カバー１の中空部５が脚部３の角に当って回らないため、脚カバー１を周方向に対して略固定状態に保つことができる。また、本発明による脚カバー１は、上下方向に関しては、その自重によって床等の最下部に至った状態を保つこととなる。なお、テーブル２の脚部３の下端部に不図示の台座金具等を固定している場合、脚カバー１はその台座金具上に当って静止する場合もある。
【００３１】
さらに、図７（ａ）、(ｂ)に示すように、上記の実施例の脚カバー１は断面円形の木製棒部材を使用して半割り部材４ａ、４ｂを形成したものとして説明してあるが、その脚カバー１の外形は、図７(ｃ)又は(ｄ)に示すように、断面四角形の木製棒部材を使用して縦状に２分割した半割り部材４ａ、４ｂを形成してもよいし、木製部材のみならず、金属製又は合成樹脂製によって成形された部材を用いてもよい。さらに、脚カバーの外形表面に何らかのデザインを彫刻したり、又は成形を施して、テーブルの用途に適した外観を呈する脚カバーとすることも可能である。また、図４（ａ）〜(ｃ)に示すように、脚カバー１の下部の外径を上部の外径よりも細く形成することにより、この脚カバー１をテーブルの脚部に装着した状態において、視覚的に良好な効果を得ることが可能となる。
【産業上の利用可能性】
【００３２】
本発明によるテーブルの脚カバーは、折り畳み式テーブル等のテーブルの脚部に後付けで容易に取付けることができ、未使用時には容易に取り外して保管することができ、しかも簡単な構成であって、取付け及び取り外しの作業性にも優れたテーブルの脚カバーとして利用することが可能である。
【図面の簡単な説明】
【００３３】
【図１】本発明による脚カバーの装着状態を示す斜視図である。
【図２】(ａ)は本発明による脚カバーの装着状態を示す斜視図であり、(ｂ)はそのテーブルの天板にテーブルクロスを掛けた状態を示す斜視図である。
【図３】本発明による脚カバーを開いた状態を示す図であり、（ａ）は斜視図、(ｂ)は内部側面図である。
【図４】本発明による脚カバーの表側を示す図であり、(ａ)は展開した状態の平面図、(ｂ)は閉じた状態で蝶番が設けられていない側から見た側面図、(ｃ)は閉じた状態で蝶番が設けられている側から見た側面図である。
【図５】本発明による脚カバーの上端面を示す図であり、(ａ)は閉じた状態を示し、(ｂ)は開いた状態を示す。
【図６】本発明による脚カバーの横断面を示す図であり、(ａ)は閉じた状態を示し、(ｂ)は開いた状態を示す。
【図７】（ａ）〜(ｄ)は本実施例の脚カバーをテーブルの脚部に装着した種々の形態を示す断面図である。
【符号の説明】
【００３４】
１  脚カバー
２  テーブル
３  脚部
３ａ  角形パイプ
３ｂ  丸形パイプ
４ａ、４ｂ  半割り部材
５  中空部
５ａ、５ｂ  貫通溝
６  天板
７  アーム
８  ピン
９  横棒
１０  テーブルクロス
１０ａ  テーブルクロスの垂れ下げ部
１１  蝶番
１２  係止部材
１３  溝部
１４ａ  凸側係止部材
１４ｂ  凹側係止部材
１５  保持部
１６  ボール部材
１７  窪み
【図１】
2007325809.tif 000003
【図２】
2007325809.tif 000004
【図３】
2007325809.tif 000005
【図４】
2007325809.tif 000006
【図５】
2007325809.tif 000007
【図６】
2007325809.tif 000008
【図７】
2007325809.tif 000009